(57)【要約】【課題】容易に同一の被筆記媒体に対する追記として取り扱うことができる電子筆記装置を提供する。【解決手段】位置情報取得手段による位置情報の取得が開始されてから記憶指示判定手段により記憶指示が検出されたと判定されるまでの間に、ストロークデータ生成手段により生成されたストロークデータ群に対し、共通の群番号を付与する群番号付与手段（ステップＳ９）と、記憶指示判定手段により記憶指示が検出されたと判定されてから所定の待機時間が経過したか否かを判定する待機時間判定手段（ステップＳ８）と、待機時間中に位置情報取得手段が取得した位置情報に対応してストロークデータ生成手段により生成された追記ストロークデータ群に対してストロークデータ群に付与した群番号を付与する追記群番号付与手段（ステップＳ９）と、を備える。【選択図】図６
2016071757.tif 000002
【特許請求の範囲】
【請求項１】
筆記具を用いた操作者の被筆記媒体への筆記動作に伴って移動する、前記筆記具の前記被筆記媒体上の複数の位置情報を取得する位置取得手段と、
前記位置取得手段で取得された前記複数の位置情報を用いて、前記筆記具による前記被筆記媒体への筆記内容に対応したストロークデータを生成するデータ生成手段と、
前記位置取得手段で取得された前記位置情報に基づき、前記操作者による所定の記憶指示が検出されたか否かを判定する記憶指示判定手段と、
前記位置情報取得手段による前記位置情報の取得が開始されてから前記記憶指示判定手段により前記記憶指示が検出されたと判定されるまでの間に、前記ストロークデータ生成手段により生成されたストロークデータ群に対し、共通の群番号を付与する群番号付与手段と、
前記記憶指示判定手段により前記記憶指示が検出されたと判定されてから所定の待機時間が経過したか否かを判定する待機時間判定手段と、
前記待機時間中に前記位置情報取得手段が取得した位置情報に対応して前記ストロークデータ生成手段により生成された追記ストロークデータ群に対して前記ストロークデータ群に付与した群番号を付与する追記群番号付与手段と、
を有することを特徴とする電子筆記装置。
【請求項２】
請求項１記載の電子筆記装置において、
前記筆記具の前記被筆記媒体上における第１筆記開始位置情報を取得する第１筆記開始位置情報取得手段と、
前記待機時間中に前記位置情報取得手段が取得した位置情報に、前記筆記媒体上の前記第１筆記開始位置及びその近傍の所定エリア内の位置情報を含んで生成された新規ストロークデータ群であった場合には、前記新規ストロークデータ群に対して前記ストロークデータ群とは異なる新たな群番号を付与する新規群番号付与手段と、
を有することを特徴とする電子筆記装置。
【請求項３】
請求項１又は請求項２記載の電子筆記装置において、
前記待機時間中に前記位置情報取得手段が取得した位置情報に、予め定められた、前記筆記媒体上の追記可能エリア外への筆記に対応した位置情報を含んで生成された新規ストロークデータ群であった場合には、前記新規ストロークデータ群に対して前記ストロークデータ群とは異なる新たな群番号を付与する新規群番号付与手段と、
を有することを特徴とする電子筆記装置。
【請求項４】
請求項２記載の電子筆記装置において、
前記第１筆記開始位置の近傍の前記所定エリアが前記被筆記媒体上に付された筆記案内用罫線の２本分である
ことを特徴とする電子筆記装置。
【請求項５】
請求項１乃至請求項４の何れか１の請求項記載の電子筆記装置において、
前記被筆記媒体を保持する電子筆記装置本体に、前記待機時間中に点灯又は点滅する待機時間報知部を備える
ことを特徴とする電子筆記装置。
【請求項６】
請求項１記載の電子筆記装置において、
前記待機時間判定手段は、前記待機時間中に前記位置取得手段が前記被筆記媒体上の複数の位置情報を取得したときには、前記待機時間を経過しても前記筆記媒体上への筆記を有効とする
ことを特徴とする電子筆記装置。
【請求項７】
請求項１記載の電子筆記装置において、
前記待機時間判定手段は、前記待機時間中に前記位置情報取得手段による前記位置情報の取得を検出したときに、前記待機時間の開始をリセットする
ことを特徴とする電子筆記装置。
【請求項８】
請求項１記載の電子筆記装置において、
前記待機時間判定手段は、前記待機時間中に前記位置情報取得手段による前記位置情報の取得を検出したときに前記待機時間の経過を停止するとともに、前記追記群番号付与手段によって前記追記ストロークデータ群に対する群番号を付与したときに前記待機時間の開始をリセットする
ことを特徴とする電子筆記装置。
【発明の詳細な説明】
【技術分野】
【０００１】
本発明は、操作者による筆記内容を電子データ化する電子筆記装置に関する。
【背景技術】
【０００２】
操作者（ユーザ）が筆記具を用いて筆記した内容を電子データ化する電子筆記装置（筆記入力装置）が既に知られている（例えば、特許文献１参照）。
【０００３】
この従来技術では、被筆記媒体（普通紙）が、保持手段（手書き入力部のステージ）上に載置される。この状態で、操作者が、筆記具（電磁ペン）を用いて被筆記媒体に対し所望の筆記を行うと、手書き入力部の検出回路が筆記具の筆記媒体上の位置情報を検出し、複数の位置情報（座標情報）に基づき被筆記媒体上への筆記内容に対応したストロークデータ（加筆データ）が生成される。筆記作業が終了すると、被筆記媒体への筆記内容に対応したストロークデータが、通信インタフェースを介して外部記憶装置（パソコンやスマートフォン等）に送信され、保存される。
【０００４】
この際、電子筆記装置は、操作者の被筆記媒体上への筆記動作に伴う筆記具の複数の位置情報を座標情報として取得し、取得した座標情報を用いてストロークデータを生成する。
【０００５】
このため、例えば、所謂一筆書きの文字の一部等が複数の座標情報に置き換えられることで、筆記媒体上に筆記した文章や図柄等が複数の座標情報の集合体である１ページ分のストロークデータ群として、ＲＡＭ等の記憶媒体に一時記憶される。
【０００６】
この１ページ分のストロークデータ群は、操作者の保存実行操作により通信インタフェースを介して外部記憶装置（パソコンやスマートフォン等）に送信され、保存される。
【先行技術文献】
【特許文献】
【０００７】
【特許文献１】特開２０１３−０２５６５９公報
【発明の概要】
【発明が解決しようとする課題】
【０００８】
上記のようにして保存操作を行った後、筆記漏れ等に気が付き、同一ページにおける筆記内容として追記したい場合がある。
【０００９】
上記従来技術では、このような追記は、保存実行操作を行った後には、新たなページに対する筆記内容のストロークデータ群として記録媒体に記録されてしまうか、特別な操作が必要となり、同一の被筆記媒体に対する追記として取り扱うことができなかった。
【００１０】
本発明の目的は、容易に同一の被筆記媒体に対する追記として取り扱うことができる電子筆記装置を提供することにある。
【課題を解決するための手段】
【００１１】
上記目的を達成するために、本願発明は、筆記具を用いた操作者の被筆記媒体への筆記動作に伴って移動する、前記筆記具の前記被筆記媒体上の複数の位置情報を取得する位置取得手段と、前記位置取得手段で取得された前記複数の位置情報を用いて、前記筆記具による前記被筆記媒体への筆記内容に対応したストロークデータを生成するデータ生成手段と、前記位置取得手段で取得された前記位置情報に基づき、前記操作者による所定の記憶指示が検出されたか否かを判定する記憶指示判定手段と、前記位置情報取得手段による前記位置情報の取得が開始されてから前記記憶指示判定手段により前記記憶指示が検出されたと判定されるまでの間に、前記ストロークデータ生成手段により生成されたストロークデータ群に対し、共通の群番号を付与する群番号付与手段と、前記記憶指示判定手段により前記記憶指示が検出されたと判定されてから所定の待機時間が経過したか否かを判定する待機時間判定手段と、前記待機時間中に前記位置情報取得手段が取得した位置情報に対応して前記ストロークデータ生成手段により生成された追記ストロークデータ群に対して前記ストロークデータ群に付与した群番号を付与する追記群番号付与手段と、を有することを特徴とする。
【００１２】
本願発明の電子筆記装置においては、操作者が、所定の紙媒体などからなる被筆記媒体に対し筆記具を用いて所望の筆記を行うと、筆記動作により移動する筆記具の複数の位置情報が位置取得手段によって取得される。そして、その取得された複数の位置情報を用いて、ストロークデータ生成手段が被筆記媒体上での筆記内容に対応したストロークデータを生成する。
【００１３】
このストロークデータは、位置取得手段によって取得した筆記具の被筆記媒体上の複数の位置情報、例えば、複数のＸＹ座標位置情報であるため、一連の線分に対して複数の位置情報を備えており、さらにその線分の集合体が文字・文章や図柄を構成する。
【００１４】
したがって、このようなストロークデータの集合体が、同一の被筆記媒体上の複数の位置情報に基づいて生成されたストロークデータ群とされ、例えば、操作者の操作者による所定の記憶指示を契機として群番号付与手段により被筆記媒体に対応した共通の群番号が付与される。
【００１５】
ここで、憶指示判定手段により記憶指示が検出されたと判定されてから所定の待機時間が経時され、待機時間判定手段により待機時間が経過したか否かが判定される。
【００１６】
一方、操作者が筆記漏れ等に気が付き、この待機時間中に筆記媒体上に追記の筆記動作が行われると、追記群番号付与手段により、位置情報取得手段が取得した位置情報に対応してストロークデータ生成手段により生成された追記ストロークデータ群に対して先のストロークデータ群に付与した群番号と同一の群番号を付与する。
【００１７】
これにより、先のストロークデータ群に対して月を含むストロークデータ群を先に付与した群番号、すなわち、保存名と同一の保存名で上書き保存することができる。
【発明の効果】
【００１８】
本発明によれば、容易に同一の被筆記媒体に対する追記として取り扱うことができる。
【図面の簡単な説明】
【００１９】
【図１】本発明の一実施形態の電子筆記装置を備えた手書き入力システムの全体構成を表すシステム構成図である。
【図２】電子筆記装置の電気的構成を表す機能ブロック図である。
【図３】ストロークデータ取得の一例を説明する説明図である。
【図４】ストロークデータにおけるペン位置番号と座標情報との対応付けの一例を説明する説明図である。
【図５】紙媒体のフォーマット（様式）の例を表す説明図である。
【図６】ＣＰＵの実行する制御手順を表すフローチャートである。
【図７】ＣＰＵの実行する制御手順を表す変形例１のフローチャートである。
【図８】ＣＰＵの実行する制御手順を表す変形例２のフローチャートである。
【発明を実施するための形態】
【００２０】
以下、本発明の一実施形態を図面を参照しつつ説明する。
【００２１】
＜システム概略＞
図１に、本実施形態の電子筆記装置２を備えた手書き入力システム１を示す。なお、以下の説明では、図１の紙面の上側、下側、右側、左側、手前側、奥行き側を、それぞれ、電子筆記装置２の上側、下側、右側、左側、手前側、奥行き側と定義して説明する。
【００２２】
図１に示すように、手書き入力システム１は、電子筆記装置２と、いわゆる電磁誘導式の電子ペン３（筆記具）と、表示装置４と、を備えている。なお、電子筆記装置２は、この例では、例えば、無線（又は有線）の通信により、ネットワークＮＷを介し、外部記憶装置としてのサーバＳＶに接続されている。
【００２３】
＜電子筆記装置２＞
電子筆記装置２は、平面視で上下方向に長い薄型の直方体状の形状を呈する左右見開きタイプであり、その見開き状態において左側（第１側）２Ａと、右側（第２側）２Ｂと、左側２Ａと右側２Ｂとを見開き状態で開閉可能に保持するヒンジ部（保持手段）２Ｃと、備えている。
【００２４】
電子筆記装置２の左側２Ａの手前側（見開き状態）には、その大部分を占めるように、凹部形状の載置部２４Ａが設けられている。
【００２５】
電子筆記装置２の右側２Ｂの右上部には、種々の情報を表示可能な小型の表示部２１が設けられている。また、右側２Ｂの表示部２１の左側には、ユーザが電子筆記装置２を操作するための入力部２２が設けられている。さらに、右側２Ｂの入力部２２の左側には、ＬＥＤ表示部２３が設けられている。そして、表示部２１及び入力部２２の下側に、電子筆記装置２の手前側（見開き状態）の大部分を占めるように、凹部形状の載置部２４Ｂが設けられている。
【００２６】
このＬＥＤ表示部２３は、３つのＬＥＤ表示部２３Ａ，２３Ｂ，２３Ｃを備えており、ＬＥＤ表示部２３Ａは点灯することで電源ＯＮ状態にあることを提示し、ＬＥＤ表示部２３Ｂは点灯することでＢｌｕｅＴｏｏｔｈ（登録商標）通信中状態にあることを提示し、ＬＥＤ表示部２３Ｃは点灯することで電子ペン３によるペンタッチの筆記検出中にあることを提示する。
【００２７】
また、例えば、ＬＥＤ表示部２３Ａは点滅することでバッテリ容量が残り僅かであることを提示し、ＬＥＤ表示部２３Ｂは点滅することで電波状態が弱いことを提示し、ＬＥＤ表示部２３Ｃは点滅することで後述する待機時間中であることを提示する待機時間報知部として機能する。
【００２８】
各載置部２４Ａ，２４Ｂ（以下、左右両方を含めて「載置部２４」とも称する）には、被筆記媒体としての紙媒体７０（後述の図５参照）が載置されるとともに、載置部２４Ａ，２４Ｂとほぼ同一の範囲となるように座標検出部２５Ａ，２５Ｂ（以下、左右両方を含めて「座標検出部２５」とも称する）が設けられている。
【００２９】
座標検出部２５Ａ，２５Ｂは、電子ペン３の位置を表す座標情報（例えば、載置部２４Ａ，２４Ｂのそれぞれの左上部を原点（０，０）とする。）を検出する。そして、載置部２４Ａ，２４Ｂは、紙媒体７０を左側２Ａ及び右側２Ｂに適正に載置したときに、左ページ（第１ページ）７０Ａ及び右ページ（第２ページ）７０Ｂとして利用可能となる。この際、左右の各載置部２４は、それぞれに載置した紙媒体７０の左上の隅部が原点（０，０）に一致する姿勢で保持する。
【００３０】
また、座標検出部２５Ａ，２５Ｂには、例えば、載置部２４Ａ，２４Ｂのそれぞれの左上部の原点（０，０）付近の所定エリアに、電子ペン３による紙媒体７０への筆記開始検出エリア２６Ａ，２６Ｂが設けられている。
【００３１】
この筆記開始位置検出エリア２６Ａ，２６Ｂは、操作者（ユーザ）による筆記がこのエリア内に含まれている場合には、新規の紙媒体７０に対する筆記開始（第１筆記開始）であることを自動で検出するものである。なお、この筆記開始位置検出エリア２６Ａ，２６Ｂは、操作者の書き癖によって筆記開始位置が異なるため、例えば、後述する保存操作を行った後の最初の座標検出部２５Ａ，２５Ｂで検出した座標位置を蓄積することにより、そのエリアの位置や大きさ等を自動で変更することができる。なお、筆記開始位置検出エリア２６Ａ，２６Ｂにおける座標検出部２５Ａ，２５Ｂは、保存操作を行った後の最初の座標位置を第１筆記開始位置として検出する第１筆記開始位置情報取得手段として機能する。
【００３２】
逆に、保存処理を実行したときの直前の、すなわち、使用中の紙媒体７０に対して最後に座標検出部２５Ａ，２５Ｂで検出した位置情報は、筆記終了位置とされ、筆記開始位置検出エリア２６Ａ，２６Ｂから筆記終了位置までの紙媒体７０のエリアには何らかの筆記がなされていることを示すことから、紙媒体の筆記がなされていない残りのエリアは余白エリアとなることから、この余白エリアを追記可能エリア７３（図５参照）とすることができる。
【００３３】
＜電子ペン３＞
以下の説明では、電子ペン３において、芯３１のペン先３２が設けられている方向を先端方向という。また、先端方向の反対方向を後端方向という。電子ペン３は、この例では、芯３１と、検出スイッチ３３と、ボタン型の電池３４と、コイル３５と、基板３６と、を備えている。芯３１は金属製であり、ペン先３２とインク収納部３７とで構成されている。また、芯３１は、電子ペン３の先端部の内部に設けられ、そのペン先３２が外部に突出している。インク収納部３７にはインクが収納され、当該インクはペン先３２に供給される。これにより、ユーザ（操作者）は、電子ペン３を使用して紙媒体７０に所望の文字や図形等を筆記することができる。
【００３４】
芯３１の後端方向には、基板３６が設けられている。基板３６の先端部には検出スイッチ３３が実装され、基板３６の後端方向には電池３４が設けられている。電池３４は基板３６に接続されており、電池３４のマイナス側の電極は、基板３６上の配線を介しコイル３５に電気的に接続されている。また、電池３４のプラス側の電極は、基板３６の配線を介し検出スイッチ３３に電気的に接続されている。検出スイッチ３３は、基板３６の配線を介しコイル３５に電気的に接続されている。コイル３５は、電子ペン３の内部の先端部において芯３１の周囲に巻回されている。
【００３５】
＜電子ペン３の座標情報の検出＞
ここで、芯３１は、図示しない弾性部材により常に先端方向に付勢されている。芯３１は、ユーザが紙媒体７０に文字等を筆記する場合の押圧力によって、上記弾性部材の付勢力に抗して電子ペン３の内部にやや退入する。この退入によって、芯３１の後端部が検出スイッチ３３を押下し、検出スイッチ３３がオン状態になる。これによって、電池３４とコイル３５とが導通して電池３４からコイル３５に向かって電流が流れ、コイル３５に電流が流れることで磁界が発生する。
【００３６】
電子筆記装置２の座標検出部２５は、上記のようにしてコイル３５から発生する磁界を電磁誘導に基づき検出する。なお、この検出は公知の手法で足りるので、詳細な説明は省略する。この座標検出部２５の検出結果に基づき、ＣＰＵ２０１は、ユーザが電子ペン３を用いて紙媒体７０へ筆記動作を行ったときの電子ペン３の移動に対応する、複数の位置情報（すなわち、上記座標情報）を取得する。なお、前述したように、本実施形態では、座標検出部２５の左上部の座標（Ｘ，Ｙ）を原点（０，０）とし、右方向をＸ軸、下方向をＹ軸とする座標系を用いる。すなわち、Ｘ座標の値が座標検出部２５（載置部２４）における左右方向の位置を表し、Ｙ座標の値が上下方向の位置を表す。
【００３７】
＜表示装置４＞
表示装置４は、電子筆記装置２に接続されており、ユーザが電子筆記装置２の載置部２４に載置した紙媒体７０の外観に相当する画像データを表示することができる。
【００３８】
＜電子筆記装置２の電気的構成＞
図２を参照して、電子筆記装置２の電気的構成について説明する。図２に示すように、電子筆記装置２は、ＣＰＵ２０１と、ＲＯＭ２０２と、ＲＡＭ２０３と、フラッシュメモリ２０４と、入力部２２と、ＬＥＤ表示部２３と、カウンタ２７と、駆動回路２０６，２０９，２１０と、通信制御部２０７（通信手段）と、を備えている。なお、通信制御部２０７は、ネットワークＮＷを介した電子筆記装置２とサーバＳＶとの情報送受信の制御を行う。
【００３９】
ＲＯＭ２０２、ＲＡＭ２０３、及びフラッシュメモリ２０４は、ＣＰＵ２０１に電気的に接続されている。ＲＯＭ２０２は、プログラム記憶領域２０２１と、画像データ記憶領域２０２３とを備えている。プログラム記憶領域２０２１には、ＣＰＵ２０１が電子筆記装置２を制御するために実行する各種プログラムが記憶されている。画像データ記憶領域２０２３には、後述する紙媒体７０のフォーマット情報に対応した画像のデータが記憶されている。
【００４０】
ＲＡＭ２０３は種々のデータを一時的に記憶する記憶領域として使用される。フラッシュメモリ２０４は、座標情報記憶領域２０４１を備えている。座標情報記憶領域２０４１には、座標情報データテーブル５３が記憶される。
【００４１】
入力部２２及び駆動回路２０６，２０９，２１０は、ＣＰＵ２０１と電気的に接続されている。駆動回路２０６，２０９は、それぞれ、表示部２１及び座標検出部２５を駆動するための電子回路である。駆動回路２１０は、表示装置４に画像を表示させるための電子回路である。
【００４２】
カウンタ２７は、後述する保存処理が行われてから所定の待機時間（例えば、１０秒）をカウントする。
【００４３】
＜ストロークデータの生成＞
次に、ストロークデータについて説明する。ストロークデータは、上記座標検出部２５の検出結果に基づきＣＰＵ２０１で取得された複数の座標情報からなる、ペン位置データ列である。図３及び図４には、２つの文字「ａ」「ｂ」の例を示している。
【００４４】
図３及び図４において、文字「ａ」は第１ストロークデータに区分されており、電子ペン３による文字「ａ」の書き始めから書き終わりまでの一筆書き部分の軌跡を表すデータである。文字「ａ」は、時系列に沿って、ペン位置番号Ｔ１，Ｔ２，・・，Ｔ１１それぞれに対応した、１１個の座標情報（Ｘ１，Ｙ１），（Ｘ２，Ｙ２），・・，（Ｘ１１，Ｙ１１）を含む。また、文字「ｂ」は第２ストロークデータに区分されており、電子ペン３による文字「ｂ」の書き始めから書き終わりまでの一筆書き部分の軌跡を表すデータである。文字「ｂ」は、時系列に沿って、ペン位置番号Ｔ１２，Ｔ１３，・・，Ｔ２１それぞれに対応した、１０個の座標情報（Ｘ１２，Ｙ１２），（Ｘ１３，Ｙ１３），・・（Ｘ２１，Ｙ２１）を含む。このようにして、ＣＰＵ２０１は、座標検出部２５の検出結果に応じた複数の座標情報を用いて、ユーザが電子ペン３を用いて紙媒体７０へ筆記した内容に対応した、ストロークデータを生成する。
【００４５】
なお、本実施の形態においては、例えば、文字「ａ」における位置Ｔ１，Ｔ２，・・，Ｔ１１それぞれに対応した、１１個の座標情報（Ｘ１，Ｙ１），（Ｘ２，Ｙ２），・・，（Ｘ１１，Ｙ１１）の各々がストロークデータとする。また、文字「ａ」を構成する位置Ｔ１，Ｔ２，・・，Ｔ１１それぞれに対応した、１１個の座標情報（Ｘ１，Ｙ１），（Ｘ２，Ｙ２），・・，（Ｘ１１，Ｙ１１）の全体、すなわち、第１ストロークデータを文字「ａ」を構成するためのストロークデータの集合体とする。そして、文字「ａ」及び文字「ｂ」を構成するためのストロークデータの全てをストロークデータ群とする。
【００４６】
＜本実施形態の特徴＞
以上の基本構成において、本実施形態の特徴は、ユーザが紙媒体７０のチェックボックス（後述）にチェックをすることにより、電子ペン３による紙媒体７０への実際の筆記に対応したストロークデータ群が、ページ単位の筆記状況に応じてサーバＳＶの複数のフォルダ（格納先）に群番号を付して記憶処理される。
【００４７】
図５に、本実施形態で用いられる紙媒体７０の一例を示す。この例では、左ページ７０Ａには、ユーザが所望の文字・図形等（以下、「書込文字」ともいう）Ｌを自由に筆記可能なフリー書き込み領域７１Ａと、左ページ７０Ａの上端部近傍に位置する格納指示記入欄（第１格納指示記入欄）としての「保存」チェックボックス７２Ａと、が設けられている。同様に、右ページ７０Ｂには、ユーザが所望の書込文字Ｒを自由に筆記可能なフリー書き込み領域７１Ｂと、右ページ７０Ｂの上端部近傍に位置する格納指示記入欄（第２格納指示記入欄）としての「保存」チェックボックス７２Ｂと、が設けられている。なお、図中には、前述のＸ座標及びＹ座標の値を表す目盛表記を（説明の便宜上）併せて示している。また、各紙媒体７０のメモ書き部分よりも下側の余白部分は、追記可能エリア７３（７３Ａ，７３Ｂ）である。なお、紙媒体７０は、例えば、白紙の場合のほか、例えば、横罫、縦罫、格子といった罫線を付したものや、音符用の５線譜特のような特殊罫線を印刷したもの等がある。この場合、上述した第１筆記開始エリアとしての筆記開始検出エリア２６Ａ，２６Ｂの近傍の所定エリアとして、例えば、筆記案内用罫線（例えば、横罫）２本分というような設定も可能である。
【００４８】
この例では、ユーザがストロークデータの格納先として使用可能なフォルダとして、サーバＳＶ内に画像データの格納用フォルダが設けられている。紙媒体７０は、これに対応したフォーマットに予め設定されており、上記のように、「保存」チェックボックス７２（７２Ａ，７２Ｂ）がそれぞれ設けられている。この際、各チェックボックス７２は、見開き状態で載置部２４Ａ，２４Ｂに上向き（天地方向）に左ページ７０Ａ及び右ページ７０Ｂを適正に載置したときに、互いに内側に位置するようになっている。これにより、載置部２４Ａ，２４Ｂに左ページ７０Ａ及び右ページ７０Ｂを載置したときの位置ずれを容易に目視可能とし、位置ずれを抑制することができる。
【００４９】
ユーザが、紙媒体７０を電子筆記装置２の載置部２４に載置した状態で、電子ペン３を用いて紙媒体７０の「保存」チェックボックス７２にチェック「レ」を記入すると、そのチェック動作に対応したチェックマーク「レ」のストロークデータの集合体が、ＣＰＵ２０１によって、「保存」チェックボックス７２に対応した座標値範囲において取得される。ＣＰＵ２０１は、予め記憶されたフォーマット情報を参照して、「保存」チェックボックス７２にチェックされたことを認識する。ユーザは、「保存」チェックボックス７２にチェックすることによって、フリー書き込み領域７１（７１Ａ，７１Ｂ）への書込文字Ｌ，Ｒに対応したストロークデータ群をサーバＳＶの格納先（フォルダ）への送信及び保存の実行を指示することができる。同様に、右ページ７０Ｂの「保存」チェックボックス７２Ｂにのみチェックがされたときには左右両ページをひとかたまりの画像データとして一括記憶処理する。
【００５０】
なお、図５において、本実施の形態では、例えば、左ページ７０Ａの場合、文字「８」、文字「／」、文字「６」等を構成する複数のストロークデータがストロークデータの集合体、「８／６  ＡＭ１０：００〜  Ａ社プレゼン  ＰＭ２：００〜技術打合せ」を構成するストロークデータの全体がストロークデータ群となる。
【００５１】
また、左ページ７０Ａにのみ画像データがあった場合に、左ページ７０Ａ又は右ページ７０Ｂの何れか一方の「保存」チェックボックス７２（７２Ａ，７２Ｂ）にのみチェックがあったときには、画像データを有する左ページ７０Ａの画像データを記憶処理する。逆に、右ページ７０Ｂにのみ画像データがあった場合に、右ページ７０Ｂ又は左ページ７０Ａの何れか一方の「保存」チェックボックス７２（７２Ａ，７２Ｂ）にのみチェックがあったときには。画像データを有する右ページ７０Ｂの画像データを記憶処理する。
【００５２】
さらに、左ページ７０Ａ及び右ページ７０Ｂの何れにも画像データがない場合には、例え、左ページ７０Ａ又は右ページ７０Ｂの何れか一方の「保存」チェックボックス７２にチェックがあったとしても、画像データの記憶処理は行わない。
【００５３】
＜制御フロー＞
上記を実現するために、電子筆記装置２のＣＰＵ２０１が実行する制御手順を、図６により説明する。
【００５４】
ます、ステップＳ１において、ＣＰＵ２０１は、例えば、電子筆記装置２の電源がオンされることを契機に、所定のイニシャライズ（初期化）を行い、ステップＳ２へと移行する。この際、ＣＰＵ２０１は、「保存」チェックボックス７２（７２Ａ，７２Ｂ）がチェックされていない旨のフラグＦ１をクリア（Ｆ１＝０）する。
【００５５】
ステップＳ２において、ＣＰＵ２０１は、操作者が筆記を行ったか否かを座標検出部２５で位置情報を取得したか否かで判定する。ＣＰＵ２０１は、位置情報を取得した場合には、筆記ありとの判定が満たされ（Ｓ２：Ｙｅｓ）、ステップＳ３へと移行する。一方、ＣＰＵ２０１は、位置情報を取得しなかった場合には、筆記ありとの判定が満たされず（Ｓ２：Ｎｏ）、ステップＳ８へとスキップする。なお、この手順が、各請求項記載の位置取得手段として機能する。
【００５６】
ステップＳ３において、ＣＰＵ２０１は、ステップＳ２で取得した位置情報に基づき、前述のようにして、ユーザの書き込み文字の内容に対応する位置情報に基づいてストロークデータを生成する。この手順が、各請求項記載のストロークデータ生成手段として機能する。
【００５７】
ステップＳ４において、ＣＰＵ２０１は、生成したストロークデータを編集バッファとしてのＲＡＭ２０３に一時的に記憶する。
【００５８】
そして、ステップＳ５において、ＣＰＵ２０１は、「保存」チェックフラグＦ１がチェック済みであるか（Ｆ１＝１）否かを判定する。ここで、ＣＰＵ２０１は、チェックフラグＦ１＝１である場合には判定が満たされ（Ｓ５：Ｙｅｓ）、ステップＳ８にスキップする。また、ＣＰＵ２０１は、チェックフラグＦ１＝１でなかった場合には判定が満たされず（Ｓ５：Ｎｏ）、ステップＳ６へと移行する。
【００５９】
そして、ステップＳ６において、ＣＰＵ２０１は、ステップＳ２で取得された座標情報とステップＳ３で生成されたストロークデータとに基づき、紙媒体７０に備えられた「保存」チェックボックス７２にチェックがされたかどうかを判定する。ＣＰＵ２０１は、「保存」チェックボックス７２にチェックがされていた場合には判定が満たされ（Ｓ６：Ｙｅｓ）、ステップＳ７に移行する。なお、この手順が、各請求項記載の記憶指示判定手段として機能する。
【００６０】
一方、ステップＳ６において、ＣＰＵ２０１は、「保存」チェックボックス７２にチェックがされていなかった場合にはステップ６の判定が満たされず（Ｓ６：Ｎｏ）、ステップＳ２にループし、以降、「保存」チェックボックス７２にチェックがされるまで上記ステップＳ２〜ステップＳ５のルーチンを繰り返す。
【００６１】
ステップＳ７において、ＣＰＵ２０１は、「保存」チェックボックス７２にチェックがされたと判定したことにより、「保存」チェックフラグＦ１をたて（Ｆ１＝１）るとともに、カウンタ２７の経時及びＬＥＤ表示部２３Ｃの点滅を開始してステップＳ８へと移行する。
【００６２】
ステップＳ８において、ＣＰＵ２０１は、ステップＳ７でカウンタ２７で経時を開始した待機時間が経過したか否かを判定する。ＣＰＵ２０１は、待機時間が経過した場合には判定が満たされ（Ｓ８：Ｙｅｓ）、ステップＳ９へと移行する。一方、ＣＯＰＵ２０１は、待機時間が経過していない場合には判定が満たされず（Ｓ８：Ｎｏ）、ステップＳ２にループする。なお、この手順が、各請求項記載の待機時間判定手段として機能する。
【００６３】
ところで、ＣＰＵ２０１は、ステップＳ２からステップＳ９にスキップされたときの経過判定として、カウンタ２７による待機時間の経時がもともと行われていない場合と、カウンタ２７による待機時間の経時が行われて経過した場合と、の２通りが存在する。そこで、ＣＰＵ２０１は、カウンタ２７による待機時間の経時がもともと行われていない場合には、「保存」チェックフラグＦ１＝０の状態であるときにカウンタ２７の経時が経過したとの同条件の場合には、判定が満たされず（Ｓ８：Ｎｏ）、ステップＳ２にループする。
【００６４】
これにより、保存処理が行われていない書き込み待ち状態のときにも、問題なく適正に制御することができる。
【００６５】
ステップＳ９において、ＣＰＵ２０１は、ステップＳ４で編集バッファに記憶したストロークデータの全てをストロークデータ群として群番号を付与したうえで送信バッファとしてのＲＡＭ２０３に一時的に記憶するとともに、ＬＲＤ表示部２３Ｃの点滅を終了する。なお、この手順が、各請求項記載の群番号付与手段として機能する。
【００６６】
なお、ＣＰＵ２０１は、本実施の形態では、通信制御部２０７を制御し、ネットワークＮＷを介し、ステップＳ９でストロークデータ群と群番号とと関連付けして送信する。
【００６７】
一方、ＣＰＵ２０１は、「保存」チェックフラグＦ１＝１の状態でカウンタ２７の経時が終了した場合には、先に保存処理したストロークデータ群に新たに追加した追記ストロークデータ群を、先に保存したストロークデータ群に追加するとともに、先に付与した群番号を再度付与して送信バッファに移動する。
【００６８】
これにより、例えば、図５に示した左ページ７０Ａでは、「８／６  ＡＭ１０：００〜  Ａ社プレゼン  ＰＭ２：００〜技術打合せ」を書き込んだ状態で保存処理を行ってストロークデータ群を構成した後に、カウンタ２７の経時が終了するまでの間に「契約書持参」との追記を行った場合、ＣＰＵ２０１は、新たな「８／６  ＡＭ１０：００〜  Ａ社プレゼン  ＰＭ２：００〜技術打合せ  契約書持参」を追記ストロークデータ群として、先の群番号と同じ群番号を付与したうえで、送信バッファに移動する。
【００６９】
これにより、一旦、保存処理を行ったにも拘らず、待機時間中に追記を行っても、その追記を含むストロークデータ群を容易に同一の被筆記媒体に対する追記として取り扱うことができる。
【００７０】
（変形例１）
図７は、本実施の形態の変形例１を示す。この変形例１は、待機時間中の所定エリア内の筆記は新規の紙媒体７０に対する書き込みとするようにしたものである。なお、この図７に示すルーチンにおいて、上記実施の形態と同一若しくは実質同一のルーチンは同一のステップとしてその説明は省略する。
【００７１】
ステップＳ１に関しては、ＣＰＵ２０１は、上記実施の形態におけるステップＳ１のルーチンに加え、先の紙媒体７０とは異なる新規の紙媒体７０に対する書き込みである旨のフラグＦ２＝０とする。
【００７２】
ステップＳ１１において、ＣＰＵ２０１は、その新規の紙媒体７０であるかのフラグＦ２＝０であるか否かを判定する。ＣＰＵ２０１は、フラグＦ２＝０である場合には判定が満たされ（Ｓ１１：Ｙｅｓ）、ステップＳ１４にスキップする。また、ＣＰＵ２０１は、フラグＦ２＝０でなかった場合には判定が満たされず（Ｓ１１：Ｎｏ）、ステップＳ１２へと移行する。
【００７３】
ステップＳ１２において、ＣＰＵ２０１は、先の紙媒体７０における「保存」チェックＦ１＝０であるか否かを判定する。ＣＰＵ２０１は、フラグＦ１＝０である場合には判定が満たされ（Ｓ１２：Ｙｅｓ）、ステップＳ４にスキップする。また、ＣＰＵ２０１は、フラグＦ１＝０でなかった場合には判定が満たされず（Ｓ１２：Ｎｏ）、ステップＳ１３へと移行する。
【００７４】
ステップＳ１３において、ＣＰＵ２０１は、筆記開始検出エリア２６Ａ，２６Ｂへの書き込みであるか否かを判定する。ＣＰＵ２０１は、筆記開始検出エリア２６Ａ，２６Ｂへの書き込みである場合には判定が満たされ（Ｓ１３：Ｙｅｓ）、ステップＳ１４に移行する。また、ＣＰＵ２０１は、筆記開始検出エリア２６Ａ，２６Ｂへの書き込みでなかった場合には判定が満たされず（Ｓ１３：Ｎｏ）、ステップＳ４へと移行する。なお、この筆記開始検出エリア２６Ａ，２６Ｂへの書き込みが各請求項における第１筆記開始位置情報となり、その場合のステップＳ２のルーチンが第１筆記開始位置情報取得手段となる。
【００７５】
ステップＳ１４において、ＣＰＵ２０１は、ステップＳ４にて編集バッファに記憶したストロークデータとは別の領域の編集バッファにストロークデータを記憶してステップＳ１５に移行する。
【００７６】
ステップＳ１５において、ＣＰＵ２０１は、新規の紙媒体７０であるかのフラグＦ２＝１であるか否かを判定する。ＣＰＵ２０１は、フラグＦ２＝１である場合には判定が満たされ（Ｓ１５：Ｙｅｓ）、ステップＳ５に移行する。また、ＣＰＵ２０１は、フラグＦ２＝１でなかった場合には判定が満たされず（Ｓ１５：Ｎｏ）、ステップＳ２へとループする。
【００７７】
このように、この変形例１では、ＣＰＵ２０１は、待機時間中に電子ペン３の紙媒体７０における筆記開始検出エリア２６Ａ，２６Ｂへの書き込みを座標検出部２５から位置情報として取得した場合には、そのストロークデータ群は新たな紙場板７０に対する新規ストロークデータ群であると判定し、その新規ストロークデータ群に対しては先のストロークデータ群とは異なる新たな群番号を付与して通信バッファに移動することができる。なお、この際のステップＳ９における新規ストロークデータ群に対する新たな群番号付与での通信バッファへの移動が各請求項の新規群番号付与手段となる。
【００７８】
これにより、待機時間中に新たな紙媒体７０が載置部２４に載置され、その新たな紙媒体７０への書き込みを筆記開始検出エリア２６Ａ，２６Ｂに行った場合には、待機時間中であっても新たな紙媒体７０に対する書き込み及び記憶処理を容易に行うことができる。
【００７９】
（変形例２）
図８は、本実施の形態の変形例２を示す。この変形例２は、待機時間中の追記エリア外の筆記は新規の紙媒体７０に対する書き込みとするようにしたものである。なお、この図８に示すルーチンにおいて、上記変形例１と同一若しくは実質同一のルーチンは同一のステップとしてその説明は省略する。
【００８０】
ステップＳ２３において、ＣＰＵ２０１は、
ステップＳ１３において、ＣＰＵ２０１は、追記可能エリア７３Ａ，７３Ｂの外側への書き込みであるか否かを判定する。ＣＰＵ２０１は、追記可能エリア７３Ａ，７３Ｂの外側への書き込みである場合には判定が満たされ（Ｓ２３：Ｙｅｓ）、ステップＳ１４に移行する。また、ＣＰＵ２０１は、追記可能エリア７３Ａ，７３Ｂの外側への書き込みでなかった場合には判定が満たされず（Ｓ２３：Ｎｏ）、ステップＳ４へと移行する。なお、この追記可能エリア７３Ａ，７３Ｂの外側への書き込みがあった場合には、先の紙媒体７０の余白ではない部分への書き込みであることから、新たな紙媒体７０への書き込みであると判定し、その場合のステップＳ９のルーチンが新規群番号付与手段となる。
【００８１】
また、以上既に述べた以外にも、上記実施形態や各変形例による手法を適宜組み合わせて利用しても良い。例えば、ステップＳ９において、サーバＳＶにストロークデータ群を送信する用に開示したが、例えば、スマートフォン等への送信（またはポーリング）する構成でもよい。
【００８２】
その他、一々例示はしないが、本発明は、その趣旨を逸脱しない範囲内において、種々の変更が加えられて実施されるものである。
【符号の説明】
【００８３】
２                電子筆記装置
２Ａ              左側（第１側）
２Ｂ              右側（第２側）
２Ｃ              ヒンジ（保持手段）
３                電子ペン（筆記具）
２４              載置部（保持手段）
７０              紙媒体（被筆記媒体）
７０Ａ            左ページ（第１ページ）
７０Ｂ            右ページ（第２ページ）
７２              「保存」チェックボックス
ＳＶ              サーバ（外部記憶装置）
２０７            通信制御部（通信手段）
【図１】
2016071757.tif 000003
【図２】
2016071757.tif 000004
【図３】
2016071757.tif 000005
【図４】
2016071757.tif 000006
【図５】
2016071757.tif 000007
【図６】
2016071757.tif 000008
【図７】
2016071757.tif 000009
【図８】
2016071757.tif 000010